(57)【要約】移動通信システムで拡散信号を伝送する方法が開示される。この方法は、拡散率を有する複数の拡散コードを用いて第１信号を拡散し、該拡散された第１信号をコード分割多重化方式で多重化し、該多重化された第１信号を第１アンテナセットで１つのＯＦＤＭシンボル内の複数の隣接した周波数リソースを通じて伝送し、拡散率を有する複数の拡散コードを用いて第２信号を拡散し、該拡散された第２信号をコード分割多重化方式で多重化し、該多重化された第２信号を前記第１アンテナセットで当該ＯＦＤＭシンボル内の複数の隣接した周波数リソースを通じて伝送し、該多重化された第１信号を第２アンテナセットで１つのＯＦＤＭシンボル内の複数の隣接した周波数リソースを通じて伝送し、該多重化された第２信号を前記第２アンテナセットで当該ＯＦＤＭシンボル内の複数の隣接した周波数リソースを通じて伝送することを含む。【選択図】図１
2010530170.tif 000002
【特許請求の範囲】
【請求項１】
移動通信システムで拡散信号を伝送する方法であって、
拡散率を有する複数の拡散コードを用いて第１信号を拡散し、
前記拡散された第１信号をコード分割多重化方式で多重化し、
前記多重化された第１信号を第１アンテナセットで１つのＯＦＤＭシンボル内の複数の隣接した周波数リソースを通じて伝送し、
拡散率を有する複数の拡散コードを用いて第２信号を拡散し、
前記拡散された第２信号をコード分割多重化方式で多重化し、
前記多重化された第２信号を前記第１アンテナセットで前記ＯＦＤＭシンボル内の複数の隣接した周波数リソースを通じて伝送し、
前記多重化された第１信号を第２アンテナセットで１つのＯＦＤＭシンボル内の複数の隣接した周波数リソースを通じて伝送し、
前記多重化された第２信号を前記第２アンテナセットで前記ＯＦＤＭシンボル内の複数の隣接した周波数リソースを通じて伝送すること、
を含み、
前記多重化された第１信号は、前記多重化された第２信号が伝送される周波数リソースと隣接した周波数リソースを通じて伝送されることを特徴とする拡散信号伝送方法。
【請求項２】
前記多重化された第１信号と前記多重化された第２信号は、隣接する２つの周波数リソースを通じてそれぞれ伝送されることを特徴とする、請求項１に記載の拡散信号伝送方法。
【請求項３】
前記拡散率は２であることを特徴とする、請求項１に記載の拡散信号伝送方法。
【請求項４】
前記第１アンテナセットは、１つのＯＦＤＭシンボル内で隣接する周波数リソース対のそれぞれに対して空間周波数ブロックコードを適用することによって空間周波数ブロックコーディングされることを特徴とする、請求項１に記載の拡散信号伝送方法。
【請求項５】
前記第１アンテナセットは、２つのアンテナを含むことを特徴とする、請求項４に記載の拡散信号伝送方法。
【請求項６】
前記第２アンテナセットは、１つのＯＦＤＭシンボル内で隣接する周波数リソース対のそれぞれに対して空間周波数ブロックコードを適用することによって空間周波数ブロックコーディングされることを特徴とする、請求項１に記載の拡散信号伝送方法。
【請求項７】
前記第２アンテナセットは、２つのアンテナを含むことを特徴とする、請求項６に記載の拡散信号伝送方法。
【請求項８】
前記第１アンテナセットを通じて伝送される多重化された信号及び前記第２アンテナセットを通じて伝送される多重化された信号はそれぞれ、互いに異なる周波数リソースを通じて伝送されることを特徴とする、請求項１に記載の拡散信号伝送方法。
【請求項９】
前記第１アンテナセットを通じて伝送される多重化された信号及び前記第２アンテナセットを通じて伝送される多重化された信号はそれぞれ、互いに異なるＯＦＤＭシンボルを通じて伝送されることを特徴とする、請求項１に記載の拡散信号伝送方法。
【請求項１０】
前記多重化された第１信号及び前記多重化された第２信号は、前記第１アンテナセットと前記第２アンテナセットを交互に用い、互いに独立した周波数リソースを通じて反復伝送されることを特徴とする、請求項１に記載の拡散信号伝送方法。
【請求項１１】
前記多重化された第１信号及び前記多重化された第２信号は、前記第１アンテナセットと前記第２アンテナセットを交互に用いて総３回伝送されることを特徴とする、請求項１０に記載の拡散信号伝送方法。
【請求項１２】
前記第１アンテナセットは、４個のアンテナのうち、第１アンテナ及び第２アンテナを含むことを特徴とする、請求項１に記載の拡散信号伝送方法。
【請求項１３】
前記第２アンテナセットは、４個のアンテナのうち、第３アンテナ及び第４アンテナを含むことを特徴とする、請求項１２に記載の拡散信号伝送方法。
【請求項１４】
前記第１アンテナセットは、４個のアンテナのうち、第１アンテナ及び第３アンテナを含むことを特徴とする、請求項１に記載の拡散信号伝送方法。
【請求項１５】
前記第２アンテナセットは、４個のアンテナのうち、第２アンテナ及び第４アンテナを含むことを特徴とする、請求項１４に記載の拡散信号伝送方法。
【請求項１６】
前記第１アンテナセット及び前記第２アンテナセットはそれぞれ、１つのアンテナを含むことを特徴とする、請求項１に記載の拡散信号伝送方法。
【発明の詳細な説明】
【技術分野】
【０００１】
本文書は、移動通信システムに係り、特に、移動通信システムで拡散信号の送信に関するものである。
【背景技術】
【０００２】
近年、情報通信サービスの普遍化と様々なマルチメディアサービスの登場、そして高品質サービスの出現などに伴って、無線通信サービスに対する要求が急速に増大しつつある。これに能動的に対処するためにはまず第一に通信システムの容量を増大させなければならない。無線通信環境で通信容量を増大させるための方案としては、利用可能な周波数帯域を新しく見つける方法と、与えられたリソースの効率性を高める方法が考えられる。
【０００３】
送受信機に複数のアンテナを装着し、リソース活用のための空間的な領域をさらに確保することによってダイバーシティ利得を取る、または、それぞれのアンテナを通じてデータを並列に伝送することによって伝送容量を高める、いわゆる多重アンテナ送受信技術が大きく注目を受け、活発に開発されつつある。
【０００４】
多重アンテナ送受信技術の一例に、多重入出力（ＭＩＭＯ：  ｍｕｌｔｉｐｌｅ  ｉｎｐｕｔ  ｍｕｌｔｉｐｌｅ  ｏｕｔｐｕｔ）を上げることができる。ＭＩＭＯは、多重の入出力を有するアンテナシステムを指すもので、各伝送アンテナごとに互いに異なる情報を伝送し、情報の量を増加させることができ、ＳＴＣ（Ｓｐａｃｅ−Ｔｉｍｅ  Ｃｏｄｉｎｇ）、ＳＴＢＣ（Ｓｐａｃｅ−Ｔｉｍｅ  Ｂｌｏｃｋ  Ｃｏｄｉｎｇ）、ＳＦＢＣ（Ｓｐａｃｅ−Ｆｒｅｑｕｅｎｃｙ  Ｂｌｏｃｋ  Ｃｏｄｉｎｇ）等のコーディング手法を用いて伝送情報の信頼度を高めることができる。
【発明の概要】
【発明が解決しようとする課題】
【０００５】
本発明は、移動通信システムで拡散信号の送信に関するものである。
【０００６】
本発明の追加的な特徴及び利点は、下記の詳細な説明で説明される。そして、その一部は、下記の詳細な説明から明らかになる、または、本発明の実施から獲得することができる。本発明の上記目的及び他の利点は、添付の図面の他に、下記の詳細な説明及び請求項を通じて詳細に指摘された構成により得られ、具体化されることができる。
【課題を解決するための手段】
【０００７】
これらの利点または他の利点を達成するするために、そして本発明の目的によって、ここに具体化され、概略的に説明されるように、本発明は、移動通信システムで拡散信号を伝送する方法であって、拡散率を有する複数の拡散コードを用いて第１信号を拡散し、前記拡散された第１信号をコード分割多重化方式で多重化し、前記多重化された第１信号を第１アンテナセットで１つのＯＦＤＭシンボル内の複数の隣接した周波数リソースを通じて伝送し、拡散率を有する複数の拡散コードを用いて第２信号を拡散し、前記拡散された第２信号をコード分割多重化方式で多重化し、前記多重化された第２信号を前記第１アンテナセットで前記ＯＦＤＭシンボル内の複数の隣接した周波数リソースを通じて伝送し、前記多重化された第１信号を第２アンテナセットで１つのＯＦＤＭシンボル内の複数の隣接した周波数リソースを通じて伝送し、前記多重化された第２信号を前記第２アンテナセットで前記ＯＦＤＭシンボル内の複数の隣接した周波数リソースを通じて伝送すること、を含み、前記多重化された第１信号は、前記多重化された第２信号が伝送される周波数リソースと隣接した周波数リソースを通じて伝送される構成とした。
【０００８】
好ましくは、前記多重化された第１信号と前記多重化された第２信号は、隣接する２つの周波数リソースを通じてそれぞれ伝送される。好ましくは、前記拡散率は２である。
【０００９】
本発明の一様態において、前記第１アンテナセットは、１つのＯＦＤＭシンボル内で隣接する周波数リソース対のそれぞれに対して空間周波数ブロックコードを適用することによって空間周波数ブロックコーディングされ、前記第１アンテナセットは、２つのアンテナを含む。本発明の他の様態において、前記第２アンテナセットは、１つのＯＦＤＭシンボル内で隣接する周波数リソース対のそれぞれに対して空間周波数ブロックコードを適用することによって空間周波数ブロックコーディングされ、前記第２アンテナセットは２つのアンテナを含む。
【００１０】
好ましくは、前記第１アンテナセットを通じて伝送される多重化された信号及び前記第２アンテナセットを通じて伝送される多重化された信号はそれぞれ、互いに異なる周波数リソースを通じて伝送される。好ましくは、前記第１アンテナセットを通じて伝送される多重化された信号及び前記第２アンテナセットを通じて伝送される多重化された信号はそれぞれ、互いに異なるＯＦＤＭシンボルを通じて伝送される。
【００１１】
本発明のさらに他の様態において、前記多重化された第１信号及び前記多重化された第２信号は、前記第１アンテナセットと前記第２アンテナセットを交互に用い、互いに独立した周波数リソースを通じて反復伝送される。好ましくは、前記多重化された第１信号及び前記多重化された第２信号は、前記第１アンテナセットと前記第２アンテナセットを交互に用いて総３回伝送される。
【００１２】
本発明の一様態において、前記第１アンテナセットは、４個のアンテナのうち、第１アンテナ及び第２アンテナを含み、前記第２アンテナセットは、４個のアンテナのうち、第３アンテナ及び第４アンテナを含む。
【００１３】
本発明の他の様態において、前記第１アンテナセットは、４個のアンテナのうち、第１アンテナ及び第３アンテナを含み、前記第２アンテナセットは、４個のアンテナのうち、第２アンテナ及び第４アンテナを含む。
【００１４】
本発明のさらに他の様態において、前記第１アンテナセット及び前記第２アンテナセットはそれぞれ、１つのアンテナを含む。
【００１５】
これまでの一般的な説明及びこれからの本発明の詳細な説明は、例示的で説明的であり、請求された本発明についてのさらなる説明を提供するために意図されたものである。
【発明の効果】
【００１６】
本発明の実施例によると、移動通信システムで拡散信号を効率的に伝送することができる。
【図面の簡単な説明】
【００１７】
本発明の理解をさらに提供するために含まれ、本明細書に含まれて本明細書の一部を構成する添付の図面が、発明の実施形態を図示し、詳細な説明と共に発明の原理を説明するために提供される。異なる図面で同一の参照符号で表される本発明の特徴、構成要素及び様態は、１つ以上の実施形態による同一、等価または類似な特徴、構成要素または様態を表す。
【図１】本発明の一実施例によって、通信システムにおいてＳＦＢＣ／ＦＳＴＤ手法を適用する方法の一例を示す図である。
【図２】本発明の一実施例によって、通信システムにおいて拡散信号にＳＦＢＣ／ＦＳＴＤ手法を適用する方法の一例を示す図である。
【図３】本発明の一実施例によって、移動通信システムにおいて拡散信号を伝送する場合に適用できる伝送構造の一例を示す図である。
【図４】本発明の一実施例によって、移動通信システムにおいて拡散信号を伝送する場合に適用できる伝送構造の他の例を示す図である。
【図５】本発明の一実施例によって、移動通信システムにおいて拡散信号を伝送する場合に適用できる伝送構造の他の例を示す図である。
【図６】本発明の一実施例によって、移動通信システムにおいて拡散信号を伝送する場合に適用できる伝送構造の他の例を示す図である。
【図７】本発明の一実施例によって、移動通信システムにおいて拡散信号を伝送する場合に適用できる伝送構造の他の例を示す図である。
【図８】本発明の一実施例によって、移動通信システムにおいて拡散信号を伝送する場合に適用できる伝送構造のさらに他の例を示す図である。
【図９】本発明の一実施例によって、移動通信システムにおいて拡散信号を反復伝送する場合に適用できる伝送構造の一例を示す図である。
【図１０】本発明の一実施例によって、移動通信システムにおいて拡散信号を反復伝送する場合に適用できる伝送構造の他の例を示す図である。
【図１１】本発明の一実施例によって、移動通信システムにおいて拡散信号を伝送する場合に適用できる伝送構造の一例を示す図である。
【図１２】本発明の一実施例によって、移動通信システムにおいて拡散信号を伝送する場合に適用できる伝送構造の他の例を示す図である。
【図１３】本発明の一実施例によって、移動通信システムにおいて拡散信号を複数のＯＦＤＭシンボルを通じて伝送する方法の一例を示す図である。
【図１４】本発明の一実施例によって、移動通信システムにおいてＳＦＢＣ／ＦＳＴＤ手法が適用された拡散信号を複数のＯＦＤＭシンボルを通じて伝送する方法の一例を示す図である。
【発明を実施するための形態】
【００１８】
本発明は、無線通信システムで拡散信号の送信に関する。
【００１９】
以下、本発明に係る好適な実施形態を、添付の図面を参照しつつ詳細に説明する。添付の図面と共に以下に開示される詳細な説明は、本発明の例示的な実施形態を説明するためのもので、本発明がの唯一の実施形態を表すものではない。下記の詳細な説明は、本発明の完全な理解を助けるために具体的な細部事項を含む。しかし、当業者は、本発明がこのような具体的細部事項なしにも実施可能であるということがわかる。例えば、下記の説明では所定の用語が主に使用されるが、これらの用語に限定されず、任意の用語で呼ばれる場合にも同一の意味を表すことができる。
【００２０】
場合によっては、本発明の概念が曖昧になるのを避けるために、公知の構造及び／または装置を省略することができ、各構造及び／または装置の核心機能を中心にしたブロック図及び／またはフローチャートとして示すことができる。また、本明細書全体を通じて同一の構成要素には同一の参照符号を付して説明する。
【００２１】
以下の実施例では、本発明の構成要素及び特徴が所定の形態に結合される。各構成要素または特徴は、別の明示がない限り、選択的なものとして考慮されなければならない。各構成要素または特徴は、他の構成要素や特徴と結合しない形態で実施されても良く、一部構成要素及び／または特徴を結合して本発明の実施例を構成しても良い。本発明の実施例で説明される動作の順序は変更可能である。ある実施例の一部構成や特徴は他の実施例に含まれることもでき、他の実施例の対応する構成または特徴に代替されても良い。
【００２２】
本文書で本発明の実施例は、基地局と端末とのデータ送受信関係を中心に説明された。ここで、基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる様々な動作は、基地局または基地局以外のネットワークノードにより行われることができるということは自明である。‘基地局’は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に取って代わることができる。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取って代わることができる。
【００２３】
移動通信システムで信号を送信するためのアンテナ及び時間／周波数リソースが所定の伝送構造と定義されて利用されることができる。以下では、ＳＦＢＣ（ｓｐａｃｅ  Ｆｒｅｑｕｅｎｃｙ  ｂｌｏｃ  ｋｃｏｄｉｎｇ）手法を適用できる場合を考慮して、アンテナ及び周波数リソースに対する伝送構造を説明する。しかし、同一の方法がアンテナ及び時間リソースに対する伝送構造に利用可能であり、その場合は、ＳＦＢＣ手法の代わりにＳＴＢＣ（ｓｐａｃｅ  Ｔｉｍｅ  ｂｌｏｃｋ  ｃｏｄｉｎｇ）手法を適用できることは当然である。
【００２４】
図１は、本発明の一実施例による、移動通信システムにおいてＳＦＢＣ／ＦＳＴＤ手法を適用する方法の一例を示す図である。図１で、移動通信システムのダウンリンクで複数個、例えば、４個の送信アンテナを用いて４次送信アンテナダイバーシティが得られる方法を具現できる。ここで、２個の隣接した副搬送波を通じて伝送される２つの変調信号には、ＳＦＢＣ（ｓｐａｃｅ  ｆｒｅｑｕｅｎｃｙ  ｂｌｏｃｋ  ｃｏｄｉｎｇ）を適用して、２個のアンテナを含む第１アンテナセットを通じて伝送し、ＳＦＢＣ符号化される２個の副搬送波セットに対しては、ＦＳＴＤ（ｆｒｅｑｕｅｎｃｙ  ｓｗｉｔｃｈｉｎｇ  ｔｒａｎｓｍｉｔ  ｄｉｖｅｒｓｉｔｙ）を適用して、互いに異なる２個のアンテナを含む２個のアンテナセットを通じて伝送する。その結果、送信アンテナダイバーシティ次数４を得ることができる。
【００２５】
図１で、各小さい四角形は、１つのアンテナで伝送される１つの副搬送波を示す。“ａ”、“ｂ”、“ｃ”、“ｄ”はそれぞれ異なる信号に変調された変調シンボルを意味する。また、関数ｆ１（ｘ）、ｆ２（ｘ）、ｆ３（ｘ）、及びｆ４（ｘ）のそれぞれは、２つの信号間に直交性を維持させるように適用される任意のＳＦＢＣ関数式を示し、下記の数学式１のように定義することができる。
【００２６】
【数１】
2010530170.tif 000003
２つの信号間に直交性を維持させるように適用される任意のＳＦＢＣ関数式を用いて２つの信号を２つのアンテナを通じて同時に伝送するにもかかわらず、受信端では、それら２つの信号をそれぞれデコーディングし、原信号を獲得することができる。特に、図１では、任意の時間単位内でダウンリンクで伝送されるＳＦＢＣ及びＦＳＴＤが反復される構造を示している。このようでＳＦＢＣとＦＳＴＤが反復して伝送される構造を通じて、受信端で同一のＳＦＢＣデコーディング及びＦＳＴＤデコーディングを反復する簡単な受信アルゴリズムを適用でき、これにより、デコーディングの複雑度を減らし、デコーディング効率を高めることができる。
【００２７】
図１で、変調シンボルセット（ａ，ｂ）、（ｃ，ｄ）、（ｅ，ｆ）、（ｇ，ｈ）はそれぞれ、ＳＦＢＣ符号化されるセットとなる。図１では、ＳＦＢＣ／ＦＳＴＤが適用される副搬送波が連続したものと示されているが、事実上、ＳＦＢＣ／ＦＳＴＤの適用される副搬送波が必ずしも周波数領域で連続する必要はない。例えば、パイロット（ｐｉｌｏｔ）信号を搬送する副搬送波が、ＳＦＢＣ／ＦＳＴＤが適用される副搬送波の間に存在することもできる。しかし、ＳＦＢＣ符号化されるセットをなす副搬送波を隣接した周波数領域に位置させると、１つのアンテナが２つの副搬送波に対して経る無線チャネル環境が類似となり、受信端でＳＦＢＣデコーディングを行う時に両信号が互いに及ぼす干渉を最小化するという効果が得られる。
【００２８】
本発明の一実施例によれば、ＳＦＢＣ／ＦＳＴＤ手法を、拡散された信号に適用することができる。ダウンリンク伝送で１つの信号を（準）直交コードを通じて複数の副搬送波に拡散させ、拡散された複数の信号をコード分割多重化（ＣＤＭ：  Ｃｏｄｅ  Ｄｉｖｉｓｉｏｎ  Ｍｕｌｔｉｐｌｅｘｉｎｇ）方式によって多重化して伝送することができる。以下、所定の拡散率で拡散された信号を拡散信号と命名する。
【００２９】
例えば、互いに異なる信号“ａ”及び“ｂ”を伝送しようとする時に、両信号を拡散率（ＳＦ）２で拡散してＣＤＭ方式で伝送するには、信号ａ及び信号ｂがそれぞれ、（ｃ１１，ｃ２１）及び（ｃ１２，ｃ２２）の２つのチップ長の（準）直交拡散コードを用いてそれぞれ拡散された信号列（ａ・ｃ１１，ａ・ｃ２１）及び（ｂ・ｃ１２、ｂ・ｃ２２）に変換される。そして、この拡散信号列は、２つの副搬送波にそれぞれ変調シンボルａ・ｃ１１＋ｂ・ｃ１２とａ・ｃ２１＋ｂ・ｃ２２として加算されて変調される。すなわち、ａ・ｃ１１＋ｂ・ｃ１２とａ・ｃ２１＋ｂ・ｃ２２がそれぞれ変調シンボルとなる。以下、本発明の実施例では、記述の便宜上、信号ａをＳＦ＝Ｎで拡散させた拡散された信号列を、すなわち、拡散信号をａ１、ａ２，…，ａＮと表現する。なお、複数の拡散信号を、コード分割多重化（ＣＤＭ：  Ｃｏｄｅ  Ｄｉｖｉｓｉｏｎ  Ｍｕｌｔｉｐｌｅｘｉｎｇ）手法によって多重化して伝送することができる。
【００３０】
図２は、本発明の一実施例によって、通信システムにおいて拡散信号にＳＦＢＣ／ＦＳＴＤ手法を適用する方法の一例を示す図である。複数の副搬送波にわたって拡散された信号列を受信端で逆拡散してデコーディングするためには、上述したように、受信した拡散信号列の各チップが類似の無線チャネル応答を経るようにすることが好ましい。図２では、４個の互いに異なる信号ａ、ｂ、ｃ、ｄが、ＳＦ＝４で拡散され、この拡散された拡散信号は、図１で上述した４個の副搬送波を通じてＳＦＢＣ／ＦＳＴＤ方式で伝送される。ＳＦＢＣ関数を数学式１で例示した関数とすれば、この場合の各副搬送波における受信信号は、下記の数学式２で示すことができる。
副搬送波１：
【００３１】
【数２−１】
2010530170.tif 000004
副搬送波２：
【００３２】
【数２−２】
2010530170.tif 000005
副搬送波３：ｈ３（ａ３＋ｂ３＋ｃ３＋ｄ３）−ｈ４（ａ４＋ｂ４＋ｃ４＋ｄ４）＊
副搬送波４：ｈ３（ａ４＋ｂ４＋ｃ４＋ｄ４）＋ｈ４（ａ３＋ｂ３＋ｃ３＋ｄ３）＊
数学式２で、ｈｉは、ｉ番目のアンテナが経るフェーディングを表し、同一アンテナの副搬送波はいずれも同一のフェーディングを経ると仮定する。受信端に加えられる雑音成分は無視する。好ましくは、受信アンテナは１個とした。この場合、ＳＦＢＣデコーディング及びＦＳＴＤデコーディングの完了後に受信端で獲得する拡散信号列は、下記の数学式３で示すことができる。
【００３３】
【数３】
2010530170.tif 000006
ここで、受信端で得た拡散信号列を、例えば信号ａに該当する（準）直交コードで逆拡散することによって信号ｂ、ｃ、ｄから分離するためには、これら４チップに対する無線チャネル応答が同一でなければならない。しかし、数学式３で示すように、互いに異なるアンテナセットを通じてＦＳＴＤ方式で伝送された信号は
【００３４】
【数４】
2010530170.tif 000007
及び
【００３５】
【数５】
2010530170.tif 000008
であって、互いに異なる無線チャネル応答を経た結果となり、よって、逆拡散時にＣＤＭ多重化された異なる信号を完全に除去することができなくなる。
【００３６】
したがって、本発明では、通信システムで拡散信号を送信する方法において、所定の拡散率（ＳＦ：  Ｓｐｒｅａｄｉｎｇ  Ｆａｃｔｏｒ）で１つ以上の信号をそれぞれ（準）直交コードなどで拡散し、この拡散された１つ以上の信号をコード分割多重化方式で多重化して伝送する時、この多重化された信号は同一のアンテナセットを通じて伝送する方法を提案する。図３は、本発明の一実施例によって、通信システムにおいて拡散信号に対してＳＦＢＣ／ＦＳＴＤ手法を適用する方法の一例を示す図である。本実施例では、ＳＦ＝４で１つ以上の信号をそれぞれ（準）直交コードなどで拡散し、この拡散された１つ以上の信号をコード分割多重化方式で多重化して伝送する時、この多重化された信号は同一のアンテナセットを通じて伝送する方法を提供する。
【００３７】
図３では、総４個の送信アンテナを用いる場合、第１アンテナセットには第１アンテナ及び第２アンテナが含まれ、第２アンテナセットには第３アンテナ及び第４アンテナが含まれる例を示す。特に、第１アンテナセット及び第２アンテナセットはそれぞれ、ＳＦＢＣ符号化が行われるアンテナセットで、両アンテナセットの間にＦＳＴＤ方式が適用されることができる。この場合、本実施例によって、伝送しようとするデータが１つのＯＦＤＭシンボルで伝送されるとする時、図３に示すように、ＳＦ＝４で拡散される信号は、ＳＦＢＣ符号化される同一アンテナセットを通じて１つのＯＦＤＭシンボルの隣接した４個の副搬送波を通じて伝送することができる。
【００３８】
図３の（ａ）は、第１アンテナセットを通じて伝送される拡散信号と第２アンテナセットを通じて伝送される拡散信号とが互いに異なる場合を示す。そして、図３の（ｂ）は、第１アンテナセットを通じて伝送される拡散信号が第２アンテナセットを通じて反復伝送され、４次送信アンテナダイバーシティ利得を獲得できる場合を示す。
【００３９】
図４は、本発明の一実施例によって、通信システムにおいて拡散信号にＳＦＢＣ／ＦＳＴＤ手法を適用する方法の他の例を示す図である。図４で、図３の実施例と同様に、ＳＦ＝４で１つ以上の信号をそれぞれ（準）直交コードなどで拡散し、この拡散された１つ以上の信号をコード分割多重化方式で多重化して伝送する時、この多重化された信号を同一のアンテナセットを通じて伝送することができる。
【００４０】
図４では、図３と違い、総４個の送信アンテナを利用する場合、第１アンテナセットには第１アンテナ及び第３アンテナが含まれ、第２アンテナセットには第２アンテナ及び第４アンテナが含まれる例を示す。すなわち、図４は、図３と比較するとき、各アンテナセットを構成する方法が異なるだけで、ＳＦＢＣ／ＦＳＴＤ方式を適用する方法は同一である。すなわち、この場合も、本実施例によって、ＳＦ＝４で拡散される信号を、ＳＦＢＣ符号化される同一のアンテナセットを通じて１つのＯＦＤＭシンボルの隣接した４個の副搬送波を通じて伝送することができる。
【００４１】
図４の（ａ）は、第１アンテナセットを通じて伝送される拡散信号と第２アンテナセットを通じて伝送される拡散信号が互いに異なる場合を示す。図４の（ｂ）は、第１アンテナセットを通じて伝送される拡散信号が、第２アンテナセットを通じて反復伝送され、４次送信アンテナダイバーシティ利得を獲得できる場合を示す。
【００４２】
本発明の一実施例によれば、同一の拡散構造が、異なる拡散率に適用されることができる。特に、システムでは、伝送チャネル状態、端末の移動速度、通信環境などを考慮して様々な拡散率を使用することができる。本実施例は、このような場合、拡散率に従って伝送構造を別に定義して使用するよりは、様々な拡散率に対して同一の伝送構造を使用する方法に関する。本実施例によれば、Ｎ個の副搬送波を通じて伝送されるＣＤＭ手法で多重化された拡散信号は、Ｎよりも小さいいかなる拡散率（Ｍ）で拡散される場合にも適用可能であり、必ずしもＮの拡散率で拡散される必要はない。
【００４３】
例えば、図３及び図４で説明した拡散率がＳＦ＝４の場合に対する伝送構造は、拡散率がＳＦ＝４の場合に限定されず、システムで用いられる様々な拡散率に対しても同一に適用されることができる。これは、拡散率にしたがって伝送構造を別にすることから生じるシステム上の複雑度の増加及びシグナリングの増加に対する解決策となりうる。
【００４４】
図５は、本発明の一実施例によって、移動通信システムにおいて拡散信号を伝送する時に適用できる伝送構造の一例を示す図である。図５は、総４個の送信アンテナを用いる場合、第１アンテナセットには第１アンテナ及び第２アンテナが含まれ、第２アンテナセットには第３アンテナ及び第４アンテナが含まれる例を示す。
【００４５】
特に、図５の（ａ）は、第１アンテナセットを通じて伝送される拡散信号と第２アンテナセットを通じて伝送される拡散信号とが互いに異なる場合を示す。そして、図５の（ｂ）は、第１アンテナセットを通じて伝送される拡散信号が、第２アンテナセットを通じて反復伝送される場合を示す。この場合、上述したように、４次送信アンテナダイバーシティ利得を獲得することができる。
【００４６】
本実施例では、ＳＦ＝２で１つ以上の信号をそれぞれ（準）直交コードなどで拡散し、この拡散された１つ以上の信号をＣＤＭ多重化して伝送する時、この多重化された拡散信号を、ＳＦ＝４に対して定義された伝送構造と同じ伝送構造によって伝送する方法を提供する。
【００４７】
図５を参照すると、４個の副搬送波にＳＦ＝２でＣＤＭ多重化される拡散信号はそれぞれ、２個の副搬送波を通じてて伝送されることができる。図５は、図３と同じ伝送構造を適用することによって、図３と同様に、隣接した４個の副搬送波単位でＳＦＢＣ／ＦＳＴＤ伝送方式が適用されることができる。しかし、図３と違い、副搬送波を通じて伝送される信号は、ＳＦ＝４で拡散されてＣＤＭ多重化された信号ではなくＳＦ＝２で拡散されてＣＤＭ多重化された信号が２個の副搬送波単位でそれぞれ伝送されることができる。
【００４８】
図６は、本発明の一実施例によって、移動通信システムにおいて拡散信号を伝送する時に適用できる伝送構造の一例を示す図である。図６では、図５と比較してアンテナセット構成のみが異なる。したがって、図５に例示された拡散信号の送信方法は、図６にも同一に適用されることができる。
【００４９】
図６では、ＳＦ＝２で１つ以上の信号をそれぞれ（準）直交コードなどで拡散する。拡散された１つ以上の信号は、ＣＤＭ多重化されて伝送される。また、本実施例は、多重化された拡散信号をＳＦ＝４に対して定義された伝送構造と同じ伝送構造によって伝送する方法を提供する。
【００５０】
図６を参照すると、４個の副搬送波にＳＦ＝２でＣＤＭ多重化される拡散信号がそれぞれ２個の副搬送波を通じて伝送されることができる。図６は、図４と同じ伝送構造を適用することによって、図４のように隣接した４個の副搬送波単位でＳＦＢＣ／ＦＳＴＤ伝送方式が適用されることができる。しかし、図４と違い、副搬送波を通じて伝送される信号はＳＦ＝４で拡散されてＣＤＭ多重化された信号ではなく、ＳＦ＝２で拡散されてＣＤＭ多重化された信号が２個の副搬送波単位でそれぞれ伝送されることができる。
【００５１】
図５及び図６は、本発明の一実施例であり、Ｍ≦Ｎを満たすいずれのＭ、Ｎも本実施例の適用が可能である。好ましくは、本実施例は、２個の送信アンテナを用いてＳＦＢＣ方式で伝送する場合や、１個の送信アンテナを用いて伝送する場合にも適用可能である。
【００５２】
図７は、本発明の一実施例によって、移動通信システムにおいて拡散信号を伝送する時に適用できる伝送構造の他の例を示す図である。図７には、２つの送信アンテナを通じてＳＦＢＣ方式で伝送する場合を示す。図７の（ａ）は、４個の副搬送波にＳＦ＝４でＣＤＭ多重化される拡散信号が４個の副搬送波を通じて伝送される伝送構造を示し、図７の（ｂ）は、４個の副搬送波にＳＦ＝２でＣＤＭ多重化される拡散信号２つがそれぞれ、２個の副搬送波を通じて伝送される伝送構造を示す。
【００５３】
図７の（ｂ）では、本実施例によって、ＳＦ＝４の拡散率で拡散された拡散信号に対する実施例である図７の（ａ）と同じ伝送構造で、隣接した４個の副搬送波単位でＳＦＢＣ伝送方式が適用されるが、この場合、副搬送波を通じて伝送されるデータは、ＳＦ＝４で拡散されてＣＤＭ多重化された信号の代わりに、ＳＦ＝２で拡散されてＣＤＭ多重化された信号が２個の副搬送波単位でそれぞれ伝送される。
【００５４】
図８は、本発明の一実施例によって、移動通信システムにおいて拡散信号を伝送する時に適用できる伝送構造の他の例を示す図である。図８は、１つの送信アンテナを通じて伝送する場合を示す。図８の（ａ）は、４個の副搬送波にＳＦ＝４でＣＤＭ多重化される拡散信号が、４個の副搬送波を通じて伝送される伝送構造を示し、図８の（ｂ）は、４個の副搬送波にＳＦ＝２でＣＤＭ多重化される拡散信号２つがそれぞれ、２個の副搬送波を通じて伝送される伝送構造を示す。
【００５５】
すなわち、図８の（ｂ）でも、本実施例によってＳＦ＝４の拡散率で拡散された拡散信号に対する実施例である図８の（ａ）と同じ伝送構造で、隣接した４個の副搬送波単位でＳＦＢＣ伝送方式が適用されるが、この場合、副搬送波を通じて伝送されるデータは、ＳＦ＝４で拡散されてＣＤＭ多重化された信号の代わりに、ＳＦ＝２で拡散されてＣＤＭ多重化された信号が２個の副搬送波単位でそれぞれ伝送される。
【００５６】
図７及び図８は、本発明の一実施例であり、Ｍ≦Ｎを満たすいずれのＭ、Ｎも本実施例の適用が可能である。特に、本実施例を１個、２個あるいは４個の送信アンテナを選択的に使用できるシステムに適用することによって、任意のＣＤＭ信号、あるいはＣＤＭ信号グループを同一のＮ個、例えば、４個の副搬送波単位で一貫した構造で割り当てることができるという利点がある。
【００５７】
本発明の他の実施例によれば、同一信号が追加的なダイバーシティを得るために反復して伝送されることができ、特に、周波数軸上、すなわち、同一の時間単位の間に互いに異なる副搬送波を通じて１回以上反復伝送されることができる。
【００５８】
図９は、本発明の実施例によって、移動通信システムにおいて拡散信号を反復伝送する場合に適用できる伝送構造の一例を示す図である。図９に示す伝送構造によれば、所定個数の副搬送波間隔でアンテナ−周波数マッピング構造が８個の副搬送波単位で反復されることができる。すなわち、図９は、８個の副搬送波単位で反復伝送される例を示すもので、このような隣接した８個の副搬送波を通じて上述のＳＦＢＣ／ＦＳＴＤ手法を適用して４次送信アンテナダイバーシティ利得を獲得することができる。そして、図９で、８個の副搬送波からなる反復単位は、第１アンテナセットを通じてＳＦ＝４で拡散された拡散信号が伝送される４個の副搬送波と、第２アンテナセットを通じてＳＦ＝４で拡散された拡散信号が伝送される４個の副搬送波とを含む。
【００５９】
この場合、各拡散信号は互いに異なる信号であっても良く、反復伝送される信号であっても良い。各拡散信号が互いに異なる場合は、図９で、各拡散信号は３回反復伝送されると見なされる。そして、各拡散信号が反復伝送される場合は、図９で、各拡散信号は総６回反復伝送されると見なされる。この場合、各拡散信号が互いに異なる信号である場合は、２番目の反復単位において最初の反復単位と異なるアンテナセットマッピングを適用することによって、空間ダイバーシティ利得を図ることもできる。
【００６０】
特に、図９の（ａ）及び（ｂ）はそれぞれ、第１アンテナセットと第２アンテナセットを構成するアンテナが異なるだけで、本実施例の適用においては同一方法を用いる。
【００６１】
図１０は、本発明の一実施例によって、移動通信システムにおいて拡散信号を反復伝送する場合に適用できる伝送構造の他の例を示す図である。図１０は、図９と同じ伝送構造を使用し、ＳＦ＝２で拡散信号を伝送する方法を示す。
【００６２】
図１０を参照すると、図９と同様に、所定個数の副搬送波間隔でアンテナ−周波数マッピング構造が反復されることができる。具体的に、図１０は、一例として８個の副搬送波単位で反復されることを示す。すなわち、図１０も、８個の副搬送波単位で反復伝送される例を示すもので、このような隣接した８個の副搬送波を通じて上述のＳＦＢＣ／ＦＳＴＤ手法を適用し、４次送信アンテナダイバーシティ利得を獲得することができる。
【００６３】
図１０において、図９でＳＦ＝４で拡散された拡散信号１つを送信するために使用される４個の副搬送波を用いて、ＳＦ＝２で拡散された拡散信号２つを送信することができる。すなわち、８個の副搬送波からなる反復単位は、ＳＦ＝２で拡散された拡散信号２つが第１アンテナセットを通じて伝送される４個の副搬送波とＳＦ＝２で拡散された拡散信号２つが第２アンテナセットを通じて伝送される４個の副搬送波とを含む。この場合にも、各拡散信号は互いに異なる信号であっても良く、反復伝送される信号であっても良い。また、反復単位別に異なるアンテナセットマッピングを適用することもできる。
【００６４】
図１０の（ａ）及び（ｂ）もそれぞれ、第１アンテナセットと第２アンテナセットを構成するアンテナが異なるだけで、本実施例の適用においては同一方法を用いる。
【００６５】
本発明の他の実施例によれば、伝送構造によって、割り当てられたリソースが部分的に使用されることができる。具体的に、既に設定された伝送構造によって拡散信号を伝送するにあたり、伝送構造によって、割り当てられたリソースを全部使用せずに、その一部のみを使用することができる。
【００６６】
図１１は、本発明の一実施例によって、移動通信システムにおいて拡散信号を伝送する場合に適用可能な伝送構造の一例を示す図である。図１１は、ＳＦ＝４で拡散された拡散信号を伝送する場合に対する実施例で、拡散信号が同一のアンテナセットを通じて伝送されるように、アンテナセットが４個の副搬送波単位で決定されるとする。
【００６７】
図１１を参照すると、伝送構造によって、割り当てられたリソースを全部使用せずに、最初の反復単位で割り当てられた８個の副搬送波のうち４個の副搬送波のみを使用して伝送を行うことができる。そして、２番目の反復単位で割り当てられた８個の副搬送波に対しても４個の副搬送波のみを使用して伝送を行うが、この時、４次送信アンテナダイバーシティを獲得できるＳＦＢＣ／ＦＳＴＤ方式を具現するために、以前伝送とは異なるアンテナセットを使用することができる。この場合、各反復単位は、上述した通り、所定個数の副搬送波間隔を持つように割り当てられる。
【００６８】
本実施例は、反復単位構成を全ての隣接した８個の副搬送波とせずに、４個の副搬送波は隣接した副搬送波で構成し、所定個数の副搬送波間隔を含めた後、残り４個の副搬送波を再び隣接した副搬送波で構成するものとして説明することもできる。これにより、４次アンテナダイバーシティに加えて追加的に周波数ダイバーシティを獲得することができる。
【００６９】
図１１では、１つの拡散信号を搬送する副搬送波は、互いに隣接した副搬送波で構成されることが有利であるという点に着目し、４個の副搬送波はそれぞれ、隣接した副搬送波からなるように維持した。したがって、隣接した副搬送波で構成する副搬送波の個数は、拡散率によって拡散信号送信時に使われる副搬送波の個数や他の理由、目的などに応じて変更可能である。
【００７０】
図１１の（ａ）及び（ｂ）もそれぞれ、第１アンテナセットと第２アンテナセットを構成するアンテナが異なるだけで、本実施例の適用においては同一方法を用いる。
【００７１】
図１２は、本発明の一実施例によって、移動通信システムにおいて拡散信号を伝送する場合に適用可能な伝送構造の他の例を示す図である。図１２は、図１１と同一の伝送構造を使用し、ＳＦ＝２で拡散された拡散信号を伝送する方法を示す。
【００７２】
図１２を参照すると、図１１と同様に、伝送構造によって、割り当てられたリソースを全部使用せずに、最初の反復単位で割り当てられた８個の副搬送波のうち４個の副搬送波のみを使用して伝送を行うことができる。そして、２番目の反復単位で割り当てられた８個の副搬送波に対しても４個の副搬送波のみを使用して伝送を行うが、この場合、４次送信アンテナダイバーシティを獲得できるＳＦＢＣ／ＦＳＴＤ方式を具現するために、以前伝送とは異なるアンテナセットを使用することができる。この場合、各反復単位は、上述した通り、所定個数の副搬送波間隔を持つように割り当てられる。
【００７３】
しかし、図１２は、図１１の実施例とは違い、ＳＦ＝２で拡散された拡散信号を伝送する方法を示すもので、ＳＦ＝４で拡散された拡散信号一つを送信するために使用される４個の副搬送波を用いて、ＳＦ＝２で拡散された拡散信号２個を送信することができる。この場合にも、各拡散信号は、互いに異なる信号であっても良く、反復伝送される信号であっても良い。なお、反復単位別に異なるアンテナセットマッピングを適用することもできる。
【００７４】
本実施例も、反復単位構成を全ての隣接した８個の副搬送波とせずに、４個の副搬送波は隣接した副搬送波で構成し、所定個数の副搬送波間隔を含めた後、残り４個の副搬送波を再び隣接した副搬送波で構成するものとして説明することもできる。
【００７５】
図１２の（ａ）及び（ｂ）もそれぞれ、第１アンテナセットと第２アンテナセットを構成するアンテナが異なるだけで、本実施例の適用においては同一方法を用いる。
【００７６】
図１２の実施例によると、図７で上述した方法と比較して、反復により追加的に使用されるリソースを半分に減らすことができ、反復伝送にかかるリソースを大きく節約することができる。したがって、本実施例による反復伝送方法を適用すると、データ伝送に使用されるリソースをより效率的に使用することができる。
【００７７】
本発明の他の実施例では、複数のＯＦＤＭシンボルが使用されることができる。以上では１つの時間単位に対して本発明の実施例によってＳＦＢＣ／ＦＳＴＤ方式を適用する方法を説明した。どころが、信号を複数の時間単位を用いて伝送する場合も考慮することができる。以下では、直交周波数分割多重化方式を適用する通信システムにおいて１つのＯＦＤＭシンボルが時間単位となると定義する。したがって、複数のＯＦＤＭシンボルを用いて信号を伝送する方法について説明すると、下記の通りである。
【００７８】
複数のＯＦＤＭシンボルを通じて伝送される場合には、送信アンテナダイバーシティの他に追加のダイバーシティを得るために、周波数軸だけでなく、時間軸で反復伝送することも可能である。特に、以下では、アップリンクで伝送されるデータに対して受信成功有無を知らせるためにダウンリンクで伝送されるＡＣＫ／ＮＡＫ信号に、以上説明したような拡散された信号に対するＣＤＭ多重化及びＳＦＢＣ／ＦＳＴＤ方式を適用する場合を取り上げて説明する。
【００７９】
図１３は、本発明の一実施例によって、移動システムにおいて拡散信号を複数のＯＦＤＭシンボルを通じて伝送する方法の一例を示す図である。図１３で、各小さい四角形は、１つのＯＦＤＭシンボルと１つの副搬送波とからなるリソース要素（ＲＥ：  ｒｅｓｏｕｒｃｅ  ｅｌｅｍｅｎｔ）を表す。そして、Ａｉｊは、ＣＤＭ方式で多重化されたＡＣＫ／ＮＡＫ信号を表し、“ｉ”は、拡散された後に多重化された信号のインデックスを、“ｊ”は、このように多重化されたＡＣＫ／ＮＡＫ信号のＡＣＫ／ＮＡＫチャネルインデックスを表す。ここで、ＡＣＫ／ＮＡＫチャネルは、多重化されたＡＣＫ／ＮＡＫ信号の集合を表し、各システムの必要及びリソース状況によって複数のＡＣＫ／ＮＡＫチャネルの存在が可能である。同図では、説明の便宜のために、１つのＡＣＫ／ＮＡＫチャネル（Ａ）が存在するとした。
【００８０】
図１３の（ａ）は、一個のＯＦＤＭシンボルを通じて多重化されたＡＣＫ／ＮＡＫ信号を伝送する例を示す図である。好ましくは、一個のＯＦＤＭシンボルに４個のＡＣＫ／ＮＡＫ信号が拡散率ＳＦ＝４で拡散されてＣＤＭ方式で多重化された後、隣接した４個の副搬送波で伝送することができる（Ａ１１、Ａ２１、Ａ３１、Ａ４１）。ＡＣＫ／ＮＡＫ信号伝送のために１つのＯＦＤＭシンボルのみが使用されたため、ＡＣＫ／ＮＡＫ信号伝送に対して時間軸上のダイバーシティ利得を得ることはできないが、周波数軸上のダイバーシティ利得を得る目的として、図１３の（ａ）に示すように、ＣＤＭ方式で多重化されたＡＣＫ／ＮＡＫ信号を周波数軸で４回反復伝送することができる。ここで、４回反復したことは、ダイバーシティを得るために反復させた一例であり、反復回数は、チャネル状況及びシステムのリソース状況に応じて変わることは当然である。
【００８１】
図１３の（ｂ）は、複数のＯＦＤＭシンボルを通じて多重化されたＡＣＫ／ＮＡＫ信号を伝送する例を示す図である。図１３の（ｂ）によれば、２つのＯＦＤＭシンボルのそれぞれに、４個のＡＣＫ／ＮＡＫ信号が拡散率ＳＦ＝４で拡散され、ＣＤＭ方式で多重化された後、隣接した４個の副搬送波で伝送されることができる。すなわち、ＡＣＫ／ＮＡＫ信号伝送のためのＯＦＤＭシンボルが増加する場合、１つのＯＦＤＭシンボルのみ使用された場合のＡＣＫ／ＮＡＫ信号をそのまま、増加したＯＦＤＭシンボルに反復して使用することができる。ただし、２番目のＯＦＤＭシンボルで反復して伝送する時は、最初のＯＦＤＭシンボルで使われた副搬送波とは可能な限り重複しない副搬送波を用いて伝送することが、周波数ダイバーシティ効果の面で好ましい。
【００８２】
図１３の（ｂ）では、ＯＦＤＭシンボル個数が増加しても、伝送できるＡＣＫ／ＮＡＫ信号の個数は、一個のＯＦＤＭシンボルを使用した時と同じ場合を示している。本実施例によって、既存の一個のＯＦＤＭシンボルのみを使用した場合では周波数軸でのみ反復させたＡＣＫ／ＮＡＫ信号を、より多いＯＦＤＭシンボルの使用によって事実上時間−周波数の反復回数を増加させ、同一個数のＡＣＫ／ＮＡＫ信号伝送のためにより多い時間−周波数リソースを用いて伝送することができる。この場合、ＡＣＫ／ＮＡＫ伝送に使われるＯＦＤＭシンボルが増加したため、ＡＣＫ／ＮＡＫ伝送に使われる信号のパワーもより多く割り当てることができ、よって、より広い領域のセルにＡＣＫ／ＮＡＫ信号を伝送することができる。
【００８３】
図１３の（ｃ）は、複数のＯＦＤＭシンボルを通じて、多重化されたＡＣＫ／ＮＡＫ信号を伝送する他の例を示す図である。図１３の（ｃ）によれば、ＡＣＫ／ＮＡＫ信号伝送のためのＯＦＤＭシンボルの個数が２つと増加した場合に、ＣＤＭ方式で多重化されたＡＣＫ／ＮＡＫ信号の周波数軸上の反復回数を減らして伝送することができる。このようにＯＦＤＭシンボルの個数が２つと増加した場合に反復回数を減らして伝送することによって、より効率的にリソースを活用することができる。
【００８４】
図１３の（ｃ）では、図１３の（ｂ）の伝送方法と比較して、ＡＣＫ／ＮＡＫ信号が周波数軸上４回反復から２回反復へと減った。しかし、ＡＣＫ／ＮＡＫ信号伝送のために使われるＯＦＤＭシンボルの個数は増加したため、図１３の（ａ）で１個のＯＦＤＭシンボルを使用する場合と比較した時、４個の時間−周波数リソース領域を使用できるという点が同一である。
【００８５】
図１３の（ｂ）の場合に比べては、図１３の（ｃ）の場合は、１つのＡＣＫ／ＮＡＫチャネル伝送のために使われた時間−周波数リソース領域の個数が減ったから、ＡＣＫ／ＮＡＫチャネル伝送のための信号パワーはより少ないが、ＡＣＫ／ＮＡＫチャネルが時間−周波数領域にわたって伝送されるから、１個のＯＦＤＭシンボルでのみ伝送される場合に比べては、より効率的なシンボル別伝送パワー割当が可能になる。
【００８６】
また、システム上でスケジューリング運営の単純化を図るために、全てのＯＦＤＭシンボルに同じ構造でＡＣＫ／ＮＡＫ信号を反復して伝送する場合、すなわち、図１３の（ｂ）に示す例のような時間−周波数リソースを使用するとすれば、互いに異なるＡＣＫ／ＮＡＫチャネルを伝送することができる。すなわち、２倍のＡＣＫ／ＮＡＫチャネルを伝送できるので、より効率的なリソース使用が可能となる。
【００８７】
図１３で説明した複数のＡＣＫ／ＮＡＫ信号の多重化のための拡散率及び時間−周波数領域における反復回数、ＡＣＫ／ＮＡＫ信号伝送のためのＯＦＤＭシンボルの個数は、本発明のより正確な説明のための一例に過ぎず、異なる拡散率、反復回数、及び様々なＯＦＤＭシンボル個数も本発明に適用可能であることは当然である。なお、図１３の実施例では、送信アンテナダイバーシティを用いない１個の送信アンテナを使用する場合についてのみ示したが、これに限定されず、２個の送信アンテナダイバーシティ方法及び４個の送信アンテナダイバーシティ方法を用いる場合にも適用可能である。
【００８８】
図１４は、本発明の一実施例によって、移動通信システムにおいてＳＦＢＣ／ＦＳＴＤ手法が適用される拡散信号を、複数のＯＦＤＭシンボルを通じて伝送する方法の一例を示す図である。好ましくは、図１４では、総４個の送信アンテナを用いて４次送信アンテナダイバーシティ効果を得る実施例について説明する。ただし、この場合も、説明の便宜のために、１つのＡＣＫ／ＮＡＫチャネルが存在するとして説明する。
【００８９】
図１４の（ａ）には、４個の送信アンテナを用いて拡散信号にＳＦＢＣ／ＦＳＴＤ手法を適用し、該信号を複数のＯＦＤＭシンボルを通じて伝送する方法を示す。２つのＯＦＤＭシンボルのそれぞれに４個のＡＣＫ／ＮＡＫ信号が拡散率ＳＦ＝４で拡散され、ＣＤＭ方式で多重化された後、隣接した４個の副搬送波で伝送されることができる。すなわち、ＡＣＫ／ＮＡＫ信号伝送のためのＯＦＤＭシンボルが増加する場合、１つのＯＦＤＭシンボルのみ使用された場合のＡＣＫ／ＮＡＫ信号をそのまま、増加したＯＦＤＭシンボルに反復して使用することができる。これは、図１３の（ｂ）で説明した通りである。
【００９０】
ただし、本実施例によって２番目のＯＦＤＭシンボルに反復して伝送する時は、最初のＯＦＤＭシンボルで使われたアンテナセットと異なるアンテナセットを使用して伝送する。すなわち、例えば、最初のＯＦＤＭシンボルで伝送する時、第１アンテナと第３アンテナとを含んでなる第１アンテナセットを用いて伝送したとすれば、２番目のＯＦＤＭシンボルで伝送する時は、第２アンテナと第２アンテナとを含んでなる第２アンテナセットを用いて伝送することができる。この場合にも、最初のＯＦＤＭシンボルで伝送される副搬送波とは可能な限り重複しない副搬送波を用いて伝送することが、周波数ダイバーシティ効果の面で好ましい。
【００９１】
図１４の（ｂ）は、４個の送信アンテナを用いて拡散された信号に対してＳＦＢＣ／ＦＳＴＤ手法を適用し、拡散信号を複数のＯＦＤＭシンボルを通じて伝送する他の例を示す図である。好ましくは、ＡＣＫ／ＮＡＫ信号伝送のためのＯＦＤＭシンボルの個数が２つと増加した場合に、ＣＤＭ方式で多重化されたＡＣＫ／ＮＡＫ信号の周波数軸の反復回数を減らして伝送することができる。これは、図１３の（ｃ）を通じて説明した通りである。しかし、本実施例によって２番目のＯＦＤＭシンボルに反復して伝送する時は、最初のＯＦＤＭシンボルで使われたアンテナセットと異なるアンテナセットを使用して伝送する。
【００９２】
図１３及び図１４で説明した例では、ＳＦ＝４で拡散信号が１つ以上のＯＦＤＭシンボルを通じてのみ伝送される場合を示した。しかし、本実施例は、拡散率ＳＦ＝２の場合、様々なＯＦＤＭシンボルを使用する場合にも適用可能である。拡散率ＳＦ＝２の場合に対する一適用例として、拡散率ＳＦ＝４で拡散された拡散信号を伝送するために割り当てられる４個の副搬送波のうち、２個ずつの副搬送波を用いて、拡散率ＳＦ＝２で拡散された拡散信号を２個伝送したり、または、２回反復伝送する方法が適用可能である。
【００９３】
様々なＯＦＤＭシンボルを通じて伝送される場合には、送信アンテナダイバーシティに加えて追加的なダイバーシティを得るために、周波数軸だけでなく、時間軸での反復も適用可能である。以上の実施例は、本発明の適用を説明するための一例であり、ＳＦＢＣ／ＦＳＴＤ伝送ダイバーシティ方法を使用するシステムにおいて様々な拡散率（ＳＦ）、様々なＯＦＤＭシンボル個数及び時間及び周波数軸での反復回数にかかわらずに適用可能である。
【００９４】
本発明は、本発明の技術思想及び必須特徴を逸脱しない範囲で他の特定の形態に具体化されることができることは、当業者には自明である。したがって、本発明の範囲は、添付の請求項及びその等価的範囲内におけるあらゆる変形及び変更を含むことができる。
【００９５】
本発明の実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例による通信システムで拡散信号を送信する方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現されることができる。
【００９６】
ファームウェアやソフトウェアによる具現の場合、本発明の一実施例による通信システムで拡散信号を送信する方法は、以上で説明した機能または動作を行うモジュール、手順、関数などの形態で具現されることができる。ソフトウェアコードは、メモリユニットに記憶されてプロセッサにより駆動されることができる。このメモリユニットは、上記プロセッサの内部または外部に設けられ、既に公知の様々な手段により当該プロセッサとデータを交換することができる。
【００９７】
上記の実施例及び利点は単に説明のためのもので、本発明を制限するものとして解釈されてはならない。本発明の教示は、他のタイプの装置にも容易に適用することができる。したがって、上記の詳細な説明はいずれの面においても請求項の範囲を制限するものとして解釈されてはいけず、例示的なものとして考慮されなければならない。様々代替物、変更物、変形物が当業者には自明である。請求項で、手段＋機能（ｍｅａｎｓ−ｐｌｕｓ−ｆｕｎｃｔｉｏｎ）語句の範囲は、引用された機能を行うために記述された構造を含み、構造的等価だけでなく等価の構造も含む。
【産業上の利用可能性】
【００９８】
本発明は、様々な通信技術に使用されることができる。
【図１】
2010530170.tif 000009
【図２】
2010530170.tif 000010
【図３】
2010530170.tif 000011
【図４】
2010530170.tif 000012
【図５】
2010530170.tif 000013
【図６】
2010530170.tif 000014
【図７】
2010530170.tif 000015
【図８】
2010530170.tif 000016
【図９】
2010530170.tif 000017
【図１０】
2010530170.tif 000018
【図１１】
2010530170.tif 000019
【図１２】
2010530170.tif 000020
【図１３】
2010530170.tif 000021
【図１４】
2010530170.tif 000022
【国際調査報告】
2010530170.tif 000023
2010530170.tif 000024